(57)【要約】【課題】本発明は、外部の表示デバイスが接続されている際に、表示デバイスの切り替えに連動させて音声出力の出力先を切り替えることにより、ユーザの煩雑な操作を軽減することができる情報処理装置を提供する。【解決手段】複数の表示デバイスに対して表示や音声出力を行う情報処理装置であって、表示先を示す表示モード情報、及び、音声出力先を示す音声モード情報とを対応付けて記憶する記憶手段と、表示先の切り替えに基づいて、音声出力先を、前記記憶手段においてこの切り替え後の表示モードに対応付けられた音声出力先に設定する設定手段と、を備えた。【選択図】  図１０
2009009321.tif 000002
【特許請求の範囲】
【請求項１】
複数の表示デバイスに対して表示や音声出力を行う情報処理装置であって、
表示先を示す表示モード情報、及び、音声出力先を示す音声モード情報とを対応付けて記憶する記憶手段と、
表示先の切り替えに基づいて、音声出力先を、前記記憶手段においてこの切り替え後の表示モードに対応付けられた音声出力先に設定する設定手段と、
を備えたことを特徴とする情報処理装置。
【請求項２】
前記記憶手段は、所定の表示デバイスに表示する表示モードと、この表示デバイスに音声出力する音声モードとを対応付けて記憶していて、
前記設定手段は、表示先が前記所定の表示デバイスに切り替えられた場合、この表示デバイスを音声出力先に設定する請求項１記載の情報処理装置。
【請求項３】
前記記憶手段は、第１の表示デバイスに表示する表示モードと、第２の表示デバイスに音声出力する音声モードとを対応付けて記憶していて、
前記設定手段は、表示先が前記第１の表示デバイスに切り替えられた場合、前記第２の表示デバイスを音声出力先に設定する請求項１記載の情報処理装置。
【請求項４】
前記記憶手段が、第１の表示デバイス及び第２の表示デバイスに同時表示する表示モードと、前記第１の表示デバイスに音声出力する音声モードとを対応付けて記憶していて、
前記設定手段は、表示先が前記第１の表示デバイス及び第２の表示デバイスの同時表示に切り替えられた場合、前記第１の表示デバイスを音声出力先に設定する請求項１記載の情報処理装置。
【請求項５】
前記記憶手段が、第１の表示デバイス及び第２の表示デバイスに同時表示する表示モードと、前記第１の表示デバイス及び第２の表示デバイスに音声出力する音声モードとを対応付けて記憶していて、
前記設定手段は、表示先が前記第１の表示デバイス及び第２の表示デバイスの同時表示に切り替えられた場合、前記第１の表示デバイス及び第２の表示デバイスを音声出力先に設定する請求項１記載の情報処理装置。
【請求項６】
前記記憶手段が、第１の表示デバイスに第１の画面を、第２の表示デバイスに第２の画面を表示する表示モードと、前記第１の表示デバイスに音声出力する音声モードとを対応付けて記憶していて、
前記設定手段は、前記第１の画面の表示先が前記第１の表示デバイスに、前記第２の画面の出力先が第２の表示デバイスに切り替えられた場合、前記第１の表示デバイスを音声出力先に設定する請求項１記載の情報処理装置。
【請求項７】
前記記憶手段が、第１の表示デバイスに第１の画面を、第２の表示デバイスに第２の画面を表示する表示モードと、前記第１の表示デバイスあるいは第２の表示デバイスのいずれかが本体に対してビデオ出力で接続されていた場合、そのビデオ出力で接続されている表示デバイスに音声出力する音声モードとを対応付けて記憶していて、
前記設定手段は、前記第１の画面の表示先が前記第１の表示デバイスに、前記第２の画面の出力先が第２の表示デバイスに切り替えられ、これらの第１の表示デバイスあるいは第２の表示デバイスのいずれかが本体に対してビデオ出力で接続されていた場合、そのビデオ出力で接続されている表示デバイスを音声出力先に設定する請求項１記載の情報処理装置。
【発明の詳細な説明】
【技術分野】
【０００１】
本発明は、複数の表示デバイスに対して表示や音声出力を行う情報処理装置に係り、特に、表示先の切り替えに連動して音声出力先が設定される情報処理装置に関する。
【背景技術】
【０００２】
近年、例えばノートＰＣ（Ｐｅｒｓｏｎａｌ  Ｃｏｍｐｕｔｅｒ）等の情報処理装置において、外部モニタやＴＶ等の表示デバイスを接続することにより、表示先をこれらの表示デバイス間で切り替えることができるようになっている。この場合、情報処理装置において表示ドライバのユーティリティやホットキー（キーボードによるショートカットキー）等を使用して、ユーザが、表示を行う表示デバイスを切り替えることができる。しかしながら、表示先を切り替えた場合であっても、音声の出力先は切り替わらず、情報処理装置の本体のスピーカから出力されてしまうという問題があった。
【０００３】
特に最近のＴＶには、デジタル映像・音声入出力のインタフェース規格であるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）インタフェースを持つものもあり、表示デバイスとしてＴＶが接続されている時にはＴＶから音声が出力されるようになるが、この際に情報処理装置の内蔵スピーカに関する設定は切り替わらず、ＴＶと情報処理装置との双方から同時に音声が出力されてしまう。これを回避するためには、ユーザが手動でこの情報処理装置の内蔵スピーカの音声をミュートに設定する必要があった。
【０００４】
そこで、情報処理装置の動作と外部の表示デバイスとの動作を連動させる方法が提案されてきた。例えば特許文献１には、情報処理装置にＴＶ表示装置を接続してこのＴＶ表示装置で映像の視聴を行う場合等において、ユーザがＴＶ表示装置を操作した際に、このＴＶ表示装置の動作に連動させて情報処理装置の動作を行わせる方法が記載されている。
【特許文献１】特開２００１−３２５２０６号公報
【発明の開示】
【発明が解決しようとする課題】
【０００５】
情報処理装置によっては、独立した音声出力端子を持たずにヘッドフォン端子を利用している場合もあり、この場合、表示デバイスの接続時に情報処理装置のスピーカからの音声出力がオフになるように設定されている。そのため、情報処理装置からの音声出力とＴＶからの音声出力を切り替える場合、ヘッドフォン端子の音声ケーブルを抜き差しする必要が生じる場合もある。
【０００６】
ユーザが情報処理装置において、表示の出力先とする表示デバイスを切り替える度に音声出力の出力先も一緒に変更しなければならないのは、非常に煩わしい。そこで、情報処理装置に表示デバイスが接続されている場合に、この表示デバイスの切り替えに連動させて音声出力の出力先を切り替えることが望ましい。
【０００７】
本発明は、上記課題を鑑みなされたもので、外部の表示デバイスが接続されている際に、表示デバイスの切り替えに連動させて音声出力の出力先を切り替えることにより、ユーザの煩雑な操作を軽減することができる情報処理装置を提供することを目的とする。
【課題を解決するための手段】
【０００８】
上記課題を解決するために、本発明に係る情報処理装置は、複数の表示デバイスに対して表示や音声出力を行う情報処理装置であって、表示先を示す表示モード情報、及び、音声出力先を示す音声モード情報とを対応付けて記憶する記憶手段と、表示先の切り替えに基づいて、音声出力先を、前記記憶手段においてこの切り替え後の表示モードに対応付けられた音声出力先に設定する設定手段と、を備えたことを特徴とする。
【発明の効果】
【０００９】
本発明に係る情報処理装置によると、表示デバイス切り替え時の音声出力の出力先情報を定義する手段をユーザに提供するとともに、外部の表示デバイスが接続されていて表示デバイスが切り替えられる時に、ユーザにより設定された出力先情報に従って音声出力先を切り替えることにより、ユーザの煩雑な操作を軽減することが可能となる。
【発明を実施するための最良の形態】
【００１０】
本発明に係る情報処理装置の実施形態について、添付図面に基づいて説明する。図１は、本発明に係る情報処理装置１が適用される情報処理システム２のシステム構成図である。情報処理システム２では、情報処理装置１に対して複数の表示デバイスが接続されている。表示デバイスは、例えばアナログＲＧＢモニタ等の外部モニタ４、ＴＶ（Ｔｅｌｅｖｉｓｉｏｎ）５等である。ＴＶ５は、コンポジット映像やＳ映像等の映像を表示する。
【００１１】
情報処理装置１は、映像信号を送信する際に用いられるＳビデオ端子、Ｄ端子、ＨＤＭＩ端子等を備えていて、例えば外部モニタ４やＴＶ５はこれらの端子を介して情報処理装置１に接続されている。以下、外部モニタ４を「ＣＲＴ」、ＴＶ５を「ＴＶ」と呼ぶ。
【００１２】
図２は、情報処理装置１の機能ブロック図である。情報処理装置１は、一般的に用いられているＰＣ（Ｐｅｒｓｏｎａｌ  Ｃｏｍｐｕｔｅｒ）等であり、図２に示すように、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＨＤ（Ｈａｒｄ  Ｄｉｓｋ）ドライブ１３、ＲＯＭ（Ｒｅａｄ  Ｏｎｌｙ  Ｍｅｍｏｒｙ）ドライブ１４、入力制御部１５、表示制御部１６、及び、音声出力制御部１８を備えていて、これらはチップセット１９を介して相互に通信可能に接続されている。
【００１３】
ＣＰＵ１１は、情報処理装置１を総括的に制御し、後述する出力制御処理やその他の様々な演算処理や制御処理を行う。ＲＡＭ１２は、ＣＰＵ１１が処理を行う際の作業領域として、処理に必要なデータを一時的に記憶する。ＨＤドライブ１３は、ＣＰＵ１１が処理を行うための処理プログラムや処理に必要なデータが記憶された記憶装置である。ＲＯＭドライブ１４は、映像データ等が記憶されたＤＶＤ（Ｄｉｇｉｔａｌ  Ｖｅｒｓａｔｉｌｅ  Ｄｉｓｋ）等の記録媒体に対して読み書きを行うための駆動装置である。入力制御部１５は、マウス２０やキーボード２１等の入力装置から入力されたデータをＣＰＵ１１に伝送するための入力インタフェースを備えている。
【００１４】
表示制御部１６は、液晶ディスプレイ（ＬＣＤ）２２に文書データや画像データを表示するための表示インタフェースや、ビデオＲＡＭ２３にロードされたフレームデータを液晶ディスプレイ２２に出力するためのＧＰＵ（Ｇｒａｐｈｉｃｓ  Ｐｒｏｃｅｓｓｉｎｇ  Ｕｎｉｔ）を備えていて、ＣＰＵ１１の制御に基づいて液晶ディスプレイ２２に対する表示処理を行う。また表示制御部１６は、外部モニタ４やＴＶ５やその他の表示デバイスに表示するための表示インタフェースや、外部モニタ４やＴＶ５やその他の表示デバイスが接続されている場合に表示先を切り替えるセレクタ、デジタル信号をアナログ映像出力に変換するコンバータ等を備えている。なお、ビデオＲＡＭ２３は、表示用フレームデータを一時的に格納するメモリである。
【００１５】
音声出力制御部１８は、情報処理装置１に内蔵されたスピーカ２４に音声を出力するための出力インタフェースを備え、ＣＰＵ１１の制御に基づいてスピーカ２４に対する音声出力処理を制御する。また音声出力制御部１８は、外部モニタ４やＴＶ５に対して音声出力を行うためのインタフェースであるヘッドフォン出力や、音声のデコードやデジタル信号のアナログ変換を行うためのコンバータ、音量を変更するインタフェース、音声出力の出力先のインタフェースを変更するための手段を備えている。
【００１６】
チップセット１９は、メモリコントローラ、バスブリッジ、ＩＤＥ（Ｉｎｔｅｇｒａｔｅｄ  Ｄｒｉｖｅ  Ｅｌｅｃｔｒｏｎｉｃｓ）コントローラ、各種Ｉ／Ｏコントローラ等を備えた集積回路である。
【００１７】
情報処理装置１は、表示デバイスが接続されている時に、この表示デバイスの種類に応じて表示処理を行う出力先や音声出力処理を行う出力先を設定する出力先制御機能を備えている。ＨＤドライブ１３には、接続されている表示デバイス毎に、表示処理の出力先と音声出力の出力先とが対応付けられた出力先情報３０が記憶されている。出力先情報３０は、図３に示すように、表示デバイスに対する出力先の情報として、表示モードを示す表示モード情報３１、第１の表示情報の出力先を示すモニタ１情報３２、第２の情報の出力先を示すモニタ２情報３３、音声出力に関する出力先の情報として、音声モードを示す音声モード情報３４、スピーカに出力するか否かを示すスピーカ出力情報３５、外部音声出力を行うか否かを示す外部音声出力情報３６を含んでいる。
【００１８】
表示モードは、例えば「単体表示」、「同時表示」、「マルチモニタ」等がある。「単体表示」は、図５及び図６に示すように、液晶ディスプレイ２２または外部モニタ４、ＴＶ５のいずれか一つにおいて表示を行う表示モードである。「同時表示」は、図７に示すように、液晶ディスプレイ３４と外部モニタ４、または、液晶ディスプレイ２２とＴＶ５に同じ画面を表示する表示モードである。また「マルチモニタ」は、図８及び図９に示すように、液晶ディスプレイ３４と外部モニタ４、または、液晶ディスプレイ２２とＴＶ５に異なる画面、例えばプライマリ画面（第１の表示画面；図８及び図９において「１」で示す）とセカンダリ画面（第２の表示画面；図８及び図９において「２」で示す）を表示する表示モードである。
【００１９】
モニタ１情報３２及びモニタ２情報３３は、表示を行う出力先を示し、表示モードが「単体表示」の場合、モニタ１情報３２のみに出力先が示され、表示モードが「同時表示」である場合、モニタ１情報３２及びモニタ２情報３３に出力先が示される。また表示モードが「マルチモニタ」である場合、モニタ１情報３２に第１の表示情報を表示する出力先が、モニタ２情報３３に第２の表示情報を表示する出力先が示される。
【００２０】
音声モード情報３４は、例えば「指定しない」、「指定する」、「プライマリ優先」、「ビデオ優先」等がある。音声モードが「指定しない」の場合、音声出力の出力先を指定しないことを示している。音声モードが「指定する」の場合、音声出力の出力先を指定することを示し、この出力先はスピーカ出力情報３５及び外部音声出力情報３６によって指定される。音声モードが「プライマリ優先」の場合、表示モードが「マルチモニタ」の際に音声出力のモニタ１情報３２に記憶されている出力先を優先して音声出力の出力先とする。音声モードが「ビデオ優先」の場合、表示モードが「マルチモニタ」でＴＶ５が接続されている場合に、このＴＶ５を優先して音声出力の出力先とする。
【００２１】
スピーカ出力情報３５は、音声モードが「指定する」の場合に設定される情報であり、情報処理装置１に内蔵されたスピーカ２４に対して音声出力を行う場合は「する」、行わない場合は「しない」が設定されている。外部音声出力情報３６は、音声モードが「指定する」の場合に設定される情報であり、外部モニタ４やＴＶ５等の外部の表示デバイスに対して音声出力を行う場合は「する」、行わない場合は「しない」が設定されている。
【００２２】
ユーザにより表示処理に関する出力先が設定されると、ＣＰＵ１１は、出力先情報３０に基づいて、音声出力処理の出力先を設定する。この表示処理に関する出力先は、例えば、図４に示す設定画面３７が液晶ディスプレイ２２に表示され、ユーザがこの設定画面３７から任意の選択項目をマウス２０やキーボード２１等の入力装置を介して選択することにより設定される。設定画面３７には、例えば、選択項目３７ａ乃至選択項目３７ｈが表示されている。
【００２３】
選択項目３７ａは、図５に示すように、表示モードを「単体表示」、モニタ１を「ＬＣＤ」に設定することを示す。選択項目３７ｂは、図７に示すように、表示モードを「同時表示」、モニタ１及びモニタ２を「ＬＤＣ」及び「ＣＲＴ」に設定することを示す。選択項目３７ｃは、図６に示すように、表示モードを「単体表示」、モニタ１を「ＣＲＴ」に設定することを示す。選択項目３７ｄは、図７に示すように、表示モードを「同時表示」、モニタ１及びモニタ２を「ＬＣＤ」及び「ＴＶ」に設定することを示す。選択項目３７ｅは、図６に示すように、表示モードを「単体表示」、モニタ１を「ＴＶ」に設定することを示す。選択項目３７ｆは、図８に示すように、表示モードを「マルチモード」、モニタ１を「ＬＣＤ」、モニタ２を「ＣＲＴ」に設定することを示す。選択項目３７ｇは、図８に示すように、表示モードを「マルチモード」、モニタ１を「ＬＣＤ」、モニタ２を「ＴＶ」に設定することを示す。選択項目３７ｈは、図９に示すように、選択項目３７ｆ及び選択項目３７ｇに示すマルチモードにおいて、モニタ１とモニタ２を入れ替えるための選択項目である。
【００２４】
情報処理装置１は、例えばユーザが入力装置を介して選択画面３７からいずれかの選択項目を選択することにより表示処理に関する出力先が設定されると、出力先情報３０に基づいて、音声出力処理の出力先を制御する出力制御処理を行う。情報処理装置１がこの出力制御処理を行う際の手順について、図１０に示すフローチャートに基づいて説明する。以下、例えば「ステップＳ１０１」を「Ｓ１０１」のように「ステップ」の語句を省略して説明する。
【００２５】
まずＣＰＵ１１は、音声出力処理の出力先の設定が指示されたか否かを判断する（Ｓ１０１）。この指示は、例えば、ユーザが設定画面３７に表示された選択項目３７ａ乃至３７ｈからいずれかの選択項目を選択して表示処理に関する出力先を設定することに基づいて行われる。なお、選択項目３７ａ乃至３７ｈは、それぞれ表示処理に関する出力先を示していて、以下に説明する音声出力先の判断に用いられる。音声出力処理の出力先の設定が指示されていない場合（Ｓ１０１のＮｏ）は、ＣＰＵ１１はそのまま待機する。
【００２６】
音声出力処理の出力先の設定が指示された場合（Ｓ１０１のＹｅｓ）は、ＣＰＵ１１は、音声モードが「プライマリ優先」に設定されているか否かを判断する（Ｓ１０３）。音声モードが「プライマリ優先」に設定されている場合（Ｓ１０３のＹｅｓ）は、モニタ１（プライマリ）に設定されている表示デバイスが音声出力の出力先となる。そこでＣＰＵ１１は、モニタ１に「ＬＣＤ」が設定されているか否かを判断する（Ｓ１０５）。
【００２７】
モニタ１に「ＬＣＤ」が設定されている場合（Ｓ１０５のＹｅｓ）は、ＣＰＵ１１は、情報処理装置１に内蔵されているスピーカ２４を有効にしてこのスピーカ２４に対して音声出力を行うとともに、外部音声出力（外部モニタ４またはＴＶ５に対する音声出力）を無効にする（Ｓ１０７）。モニタ１に「ＬＣＤ」が設定されていない場合（Ｓ１０５のＮｏ）は、ＣＰＵ１１は、情報処理装置１に内蔵されているスピーカ２４を無効にするとともに、外部音声出力を有効にして接続されている外部モニタ４またはＴＶ５に対して音声出力を行う（Ｓ１０９）。
【００２８】
音声モードが「プライマリ優先」に設定されていない場合（Ｓ１０３のＮｏ）は、ＣＰＵ１１は、音声モードが「ビデオ優先」に設定されているか否かを判断する（Ｓ１１１）。音声モードが「ビデオ優先」に設定されている場合（Ｓ１１１のＹｅｓ）は、外部の表示デバイスであるＴＶ５が音声出力の出力先となる。そこでＣＰＵ１１は、情報処理装置１にＴＶ５が接続されているか否かを判断する（Ｓ１１３）。
【００２９】
情報処理装置１にＴＶ５が接続されていない場合（Ｓ１１３のＮｏ）は、ＣＰＵ１１は、情報処理装置１に内蔵されているスピーカ２４を有効にしてこのスピーカ２４に対して音声出力を行うとともに、外部音声出力を無効にする（Ｓ１１５）。情報処理装置１にＴＶ５が接続されている場合（Ｓ１１３のＹｅｓ）は、ＣＰＵ１１は、情報処理装置１に内蔵されているスピーカ２４を無効にするとともに、外部音声出力を有効にして接続されているＴＶ５に対して音声出力を行う（Ｓ１１７）。
【００３０】
音声モードが「プライマリ優先」に設定されていない場合（Ｓ１０３のＮｏ）、かつ音声モードが「ビデオ優先」に設定されていない場合（Ｓ１１１のＮｏ）は、ＣＰＵ１１は、音声モードが「指定する」に設定されているか否かを判断する（Ｓ１１９）。音声モードが「指定する」に設定されている場合（Ｓ１１９のＹｅｓ）は、スピーカ２４に対する音声出力の有無、外部の表示デバイスに対する音声出力の有無がそれぞれ設定されている。
【００３１】
そこでＣＰＵ１１は、スピーカ出力が「する」に設定されているか否かを判断する（Ｓ１２１）。スピーカ出力が「する」に設定されている場合（Ｓ１２１のＹｅｓ）は、ＣＰＵ１１は、情報処理装置１に内蔵されているスピーカ２４を有効にしてこのスピーカ２４に対して音声出力を行う（Ｓ１２３）。スピーカ出力が「しない」に設定されている場合（Ｓ１２１のＮｏ）は、ＣＰＵ１１は、情報処理装置１に内蔵されているスピーカ２４を無効にしてこのスピーカ２４に対して音声出力を行わない（Ｓ１２５）。
【００３２】
またＣＰＵ１１は、外部音声出力が「する」に設定されているか否かを判断する（Ｓ１２７）。外部音声出力が「する」に設定されている場合（Ｓ１２７のＹｅｓ）は、ＣＰＵ１１は、外部の表示デバイスに対する音声出力を有効にしてこの表示デバイスに対して音声出力を行う（Ｓ１２９）。外部音声出力が「しない」に設定されている場合（Ｓ１２７のＮｏ）は、ＣＰＵ１１は、外部の表示デバイスに対する音声出力を無効にしてこの表示デバイスに対して音声出力を行わない（Ｓ１３１）。
【００３３】
音声モードが「プライマリ優先」に設定されていない場合（Ｓ１０３のＮｏ）、かつ音声モードが「ビデオ優先」に設定されていない場合（Ｓ１１１のＮｏ）、かつ音声モードが「指定する」に設定されていない場合（Ｓ１１９のＮｏ）、すなわち音声モードが「指定しない」に設定されている場合は、ＣＰＵ１１は音声出力の出力先の設定を行わずに、既に設定されている出力先に対して音声出力を行う。この場合、ユーザが必要に応じて、手動で音声出力の出力先を設定する。
【００３４】
ここで、図３に示す出力先情報３０のいくつかの設定項目について、図１０に示すフローチャートに従って音声出力の出力先を設定した場合の具体例を示す。まず、出力先情報３０においてＬＣＤ単体表示が設定されている場合、音声モードが「指定しない」に設定されているため、ステップＳ１０１、Ｓ１１１、Ｓ１１９にてＮｏに進み、音声出力に関する変更を行わずに出力制御処理を終了する。
【００３５】
ＴＶ単体表示が選択された場合、音声モードが「指定する」に設定されているため、ステップＳ１０１、Ｓ１１１でＮｏに進み、ステップＳ１１９でＹｅｓに進む。スピーカ出力が「しない」に設定されているので、ステップＳ１２５にてスピーカ２４を無効にし、外部音声出力が「する」に設定されているため、ステップＳ１２９にてＴＶ５の音声出力を有効にする。これにより、ＴＶ単体表示を行う場合、自動的に、情報処理装置１のスピーカ２４の音声はミュートに設定されるとともに、ＴＶ５のスピーカから音声が出力される。
【００３６】
情報処理装置１の液晶ディスプレイ２２をプライマリ、外部モニタ４をセカンダリとしたマルチモニタ表示が選択された場合、音声モードが「プライマリ優先」に設定されているため、ステップＳ１０３、Ｓ１０５にてＹｅｓに進み、ステップＳ１０７にて情報処理装置１のスピーカ２４を有効にし、外部モニタ４の音声出力を無効にする。これにより、液晶ディスプレイ２２／外部モニタ４のマルチモニタ表示の場合、情報処理装置１のスピーカ２４から音声が出力され、外部モニタ４のスピーカからの音声は出力されなくなる。一般に、ユーザが情報処理装置１の本体の液晶ディスプレイ２２を主に使用し、外部モニタ４を書類の参照用等に副画面として使用する場合等、ユーザが直接入力処理を行う情報処理装置１のスピーカ２４を有効にしたい場合に用いられる。
【００３７】
情報処理装置１の液晶ディスプレイ２２とＴＶ５とのマルチモニタ表示が選択された場合、音声モードが「ビデオ優先」に設定されているため、ステップＳ１０３にてＮｏに進みステップＳ１１１にてＹｅｓに進む。またステップＳ１１３にてＴＶ５が接続されているか否かが判定される。情報処理装置１にＴＶ５が接続されていれば、ＴＶ５がプライマリに設定されていてもセカンダリに設定されていても、ステップＳ１１７にて情報処理装置１のスピーカ２４が無効にされ、ＴＶ５の音声出力を有効にされる。これにより、液晶ディスプレイ２２／ＴＶ５のマルチモニタ表示の場合、自動的に、情報処理装置１のスピーカ２４はミュートに設定され、ＴＶ５のスピーカで音声が出力される。一般に、ユーザが情報処理装置１にＴＶ５を接続してマルチモニタでＤＶＤ映像等をＴＶ出力する場合、音質に優れたＴＶ５のスピーカにより音声を出力させる場合に用いられる。
【００３８】
このようにして情報処理装置１は、ユーザが表示出力の出力先の設定を行った場合、この表示出力の出力先と、ＨＤドライブ１３に記憶されている出力先情報３０とに基づいて、音声出力の出力先の設定を行う。
【００３９】
例えば、情報処理装置１の本体の音声出力を「しない」に設定し、外部の表示デバイスの音声出力を「する」に設定しておくことにより、情報処理装置１に一つあるは複数の表示デバイスを接続した状態で表示デバイスを切り替えた際に、音声出力の出力先も連動させて切り替えることができる。
【００４０】
また、音声モードを「プライマリ優先」に設定して置くことにより、情報処理装置１に一つあるは複数の表示デバイスを接続してマルチモニタ表示を行う際に、自動的に、プライマリ画面を表示する側の表示デバイスが備えたスピーカから音声を出力させることができる。また、音声モードを「ビデオ優先」に設定して置くことにより、情報処理装置１にＴＶ５を接続してマルチモニタ表示を行う際に、自動的に、ＴＶ５から音声を出力させることができる。
【００４１】
また、情報処理装置１に一つあるは複数の表示デバイスを接続して同時表示を行う際に、内蔵されたスピーカ２４のスピーカ出力の有無や外部の表示デバイスの音声出力の有無を設定しておくことで、自動的に、ユーザにより指定された表示デバイスから音声を出力することができる。
【００４２】
なお、本実施形態は、映像再生の際に表示先とする表示デバイスをユーザが切り替えた場合、音声ケーブルを接続したまま、表示デバイス切り替えに連動して音声の出力先を切り替えるため、映像再生に最適な音声出力デバイスが自動的に設定され、ユーザの煩わしさが軽減される。
【００４３】
また、本実施形態は、表示デバイスの切り替え時に音声出力先を切り替えているが、例えばビデオ再生時にはＴＶ５から音声を出力させる等、表示するコンテンツに基づいて音声の出力先を切り替えても良い。
【００４４】
また、本実施形態では、ユーザがユーティリティや設定画面４０を用いて表示デバイスの切り替えを行う場合のみを記述しているが、実行するアプリケーション、液晶ディスプレイ２２のＬｉｄ（液晶パネル）の開閉、ドッカーとのＤｏｃｋ／Ｕｎｄｏｃｋ、液晶ディスプレイ２２のモニターオフ、スクリーンセーバー動作等と音声出力先を関連付けても良い。
【００４５】
本発明に係る情報処理装置１によると、表示デバイス切り替え時の音声出力の出力先情報を定義する手段をユーザに提供するとともに、外部の表示デバイスが接続されていて表示デバイスが切り替えられる時に、ユーザにより設定された出力先情報に従って音声出力先を切り替えることにより、ユーザの煩雑な操作を軽減することが可能となる。
【００４６】
本発明に係る情報処理装置１として、装置内部に発明を実施する機能が予め記録されている場合で説明をしたが、これに限らず、同様の機能をネットワーク３から装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても構わない。
【図面の簡単な説明】
【００４７】
【図１】本発明に係る情報処理装置が適用される情報処理システムのシステム構成図。
【図２】本発明に係る情報処理装置の機能ブロック図。
【図３】出力先情報のデータ構成図。
【図４】出力先情報を設定するための設定画面の画面図。
【図５】本発明に係る情報処理装置の液晶ディスプレイ及び情報処理装置に接続されている表示装置の表示状態を示す図。
【図６】本発明に係る情報処理装置の液晶ディスプレイ及び情報処理装置に接続されている表示装置の表示状態を示す図。
【図７】本発明に係る情報処理装置の液晶ディスプレイ及び情報処理装置に接続されている表示装置の表示状態を示す図。
【図８】本発明に係る情報処理装置の液晶ディスプレイ及び情報処理装置に接続されている表示装置の表示状態を示す図。
【図９】本発明に係る情報処理装置の液晶ディスプレイ及び情報処理装置に接続されている表示装置の表示状態を示す図。
【図１０】本発明に係る情報処理装置が出力制御処理を行う際の手順を示すフローチャート。
【符号の説明】
【００４８】
１…情報処理装置，２…情報処理システム，４…外部モニタ（ＣＲＴ），５…ＴＶ，１９…チップセット，１１…ＣＰＵ，１２…ＲＡＭ，１３…ＨＤドライブ，１４…ＲＯＭドライブ，１５…入力制御部，１６…表示制御部，１８…音声出力制御部，２０…マウス，２１…キーボード，２２…液晶ディスプレイ（ＬＣＤ），２３…ビデオＲＡＭ，２４…スピーカ，３０…出力先情報，３７…設定画面。
【図１】
2009009321.tif 000003
【図２】
2009009321.tif 000004
【図３】
2009009321.tif 000005
【図４】
2009009321.tif 000006
【図５】
2009009321.tif 000007
【図６】
2009009321.tif 000008
【図７】
2009009321.tif 000009
【図８】
2009009321.tif 000010
【図９】
2009009321.tif 000011
【図１０】
2009009321.tif 000012